(57)【要約】  本発明は、駆動可能な複数のゴデットを備えたゴデットユニットと、複数の巻取り箇所を備えた巻取りユニットとを備えた、糸群を引き出しかつ巻き取ってパッケージを形成するための装置に関する。糸群を分離するために、ゴデットユニットは、１回だけ巻き掛けられるショートゴデットを有していて、巻き取りユニットは、ショートゴデットに後置された複数の変向ローラを有している。ショートゴデットは、ゴデットユニットにおいて、糸群により複数回巻き掛けられた少なくとも１つのロングゴデットと協働する。できるだけいたわった糸のガイドと、装置のコンパクトな構造形式を得るために、本発明によれば、ロングゴデットとショートゴデットとは、ロングゴデットの軸線と、ショートゴデットの軸線とが、３０°〜６０°の範囲の角度だけ互いに対してずらされて配向されているように、巻取りユニットの上側に配置されている。
2020529533.tif 000002
【特許請求の範囲】
【請求項１】
駆動可能な複数のゴデット（７．１，８．１）を備えたゴデットユニット（１）と、該ゴデットユニット（１）から走出した糸群（１７）を分離するための複数の変向ローラ（１１）のうちのそれぞれ１つを有する複数の巻取り箇所（１２）を備えた巻取りユニット（２）とを備えた、糸群（１７）を引き出しかつ巻き取ってパッケージ（１８）を形成するための装置であって、前記変向ローラ（１１）に、前記ゴデットユニット（１）の、前記糸群（１７）により１回だけ巻き掛けられるショートゴデット（８．１）が前置されていて、前記ゴデットユニット（１）が、前記糸群（１７）により複数回巻き掛けられる少なくとも１つのロングゴデット（７．１）を有している、糸群（１７）を引き出しかつ巻き取ってパッケージを形成するための装置において、
前記ロングゴデット（７．１）と前記ショートゴデット（８．１）とは、前記ロングゴデット（７．１）の軸線と、前記ショートゴデット（８．１）の軸線とが３０°〜６０°の範囲の角度だけ互いにずらされて配向されているように、前記巻取りユニット（２）の上側に配置されていることを特徴とする、糸群を引き出しかつ巻き取ってパッケージを形成するための装置。
【請求項２】
前記ゴデットユニット（１）が、複数のショートゴデット（６．１，８．１）を有していて、前記ショートゴデットのうちの少なくとも１つのショートゴデット（６．１）が、糸走路において前記ロングゴデット（７．１）に前置されていて、前置された前記ショートゴデット（６．１）が、前記ロングゴデット（７．１）に対して軸平行に配向されている、請求項１記載の装置。
【請求項３】
前記ゴデットユニット（１）が、コーム状の糸ガイド器（４．１）を備えた糸集合ユニット（４）を有していて、該糸ガイド器（４．１）が、前記ロングゴデット（７．１）に対してほぼ平行に配置されている、請求項１または２記載の装置。
【請求項４】
前記ロングゴデット（７．１）に後置された前記ショートゴデット（８．１）が、前記巻取りユニット（２）の巻取りスピンドル（１５．１，１５．２）に対して横方向に配置されている、請求項１から３までのいずれか１項記載の装置。
【請求項５】
前記ゴデットユニット（１）が、前記巻取りユニット（２）をＵ字形にその下側で取り囲む機械フレーム（３）によって支持されており、前記ゴデットユニット（１）が、前記巻取りユニット（２）の手前に設けられた操作通路（２１）から操作可能である、請求項４記載の装置。
【請求項６】
前記ゴデットユニット（１）が、前記ロングゴデット（７．１）を受容するために、前記操作通路（２１）に対して斜めに配向されたキャリア壁（５）を有していて、該キャリア壁（５）が、隣接する巻取りユニット（２）の隣接する機械フレーム（３）において部分的に支持されている、請求項１から５までのいずれか１項記載の装置。
【請求項７】
前記ロングゴデット（７．１）のゴデット周壁（７．４）が、少なくとも、前記ショートゴデット（６．１）のゴデット周壁（６．２）の周壁長さよりも２〜５倍長く構成されている周壁長さを有している、請求項１から６までのいずれか１項記載の装置。
【請求項８】
前記ロングゴデット（７．１）が、前記ゴデット周壁（７．４）を温度調節するための周壁加熱装置（７．３）を有している、請求項１から７までのいずれか１項記載の装置。
【請求項９】
前記ロングゴデット（７．１）の前記ゴデット周壁（７．４）が熱絶縁されたゴデットボックス（１９）内に配置されていて、該ゴデットボックス（１９）が、前置された前記ショートゴデット（６．１）と、後置された前記ショートゴデット（８．１）とに対して、複数の糸開口（２２）のうちのそれぞれ１つを有している、請求項８記載の装置。
【請求項１０】
前記巻取りユニット（２）が、互いに対して鏡像対称的に配置された２つの巻取り機（２０．１，２０．２）により構成されていて、前記ゴデットユニット（１）により供給された糸群（１７）が、両方の前記巻取り機（２０．１，２０．２）の前記巻取り箇所（１２．１，１２．２）に分割して供給可能である、請求項１から９までのいずれか１項記載の装置。
【発明の詳細な説明】
【技術分野】
【０００１】
本発明は、請求項１の上位概念部に記載の形式の、糸群を引き出しかつ巻き取ってパッケージを形成する装置に関する。
【０００２】
糸群を引き出しかつ巻き取ってパッケージを形成する冒頭で述べた形式の装置は、国際公開第２０１３／０１３９６８号から公知である。
【０００３】
糸群を引き出しかつ巻き取ってパッケージを形成するこのような種類の装置は、溶融紡糸プロセスにおいて合成糸を製造するために使用される。したがって、糸を、押出し後に紡糸ユニットから引き出し、糸タイプに応じて延伸するためにゴデットユニットが設けられている。たとえば破断点伸びおよび煮沸収縮（Kochschrumpf）のような、この糸タイプのために望まれる物理的な特性には、ゴデットユニットの複数のゴデットにより影響が与えられる。基本的には、糸群のガイドおよび処理のために使用される、ゴデットの２つのタイプが区別される。したがって、糸群の延伸および熱処理のためには、好適には長く突出したゴデットが使用され、これらのゴデットの周面において糸群が複数回の巻掛けでガイドされる。このゴデットタイプは、本明細書において、ロングゴデットと呼ばれる。このような種類のロングゴデットは、巻掛けを実現するために、回転可能に支承された付随ローラまたは糸をガイドするための第２のロングゴデットと組み合わせられる。
【０００４】
これに対して、糸群が周面において一回の糸巻掛けでガイドされるゴデットも公知である。このような種類のゴデットは、本明細書ではショートゴデットと呼ばれる。ショートゴデットは、好適には部分延伸糸（ＰＯＹ）の製造時に使用される。したがって、先行技術においては、ロングゴデットまたはショートゴデットしか使用しない、糸群を引き出しかつ巻き取る装置が公知である。この公知の装置では、ロングゴデットもショートゴデットも一緒に糸群をガイドし処理するために使用される。
【０００５】
公知の装置では、糸群が複数のロングゴデットにより引き出されかつ延伸される。延伸後に、糸はショートゴデットを介して後処理され、複数の巻取り箇所を備えた巻取りユニットに供給される。ショートゴデットは、この場合、巻取り箇所のすぐ上に、巻取りユニットの巻取りスピンドルに対してほぼ垂直に保持されているので、糸群の糸の分配および分離は、ほぼ水平方向の平面から行うことができる。これにより、対応する低い構造高さを有する極めてコンパクトな構造形式が実現可能である。これに対して、ロングゴデットは、巻取りユニットにより予め規定される機械奥行きをロングゴデットの組込みのために利用するために、巻取りスピンドルに対して平行に配向されている。したがって、ロングゴデットの周面においてガイドされる糸群は、ショートゴデットの周面へと走入することができるように、９０°の角度だけねじられなければならない。しかし、このような変向は、付加的な糸ガイド器によってしか保証されていない定義された糸のガイドを必要とする。しかし、合成糸の製造時には、糸ガイド器に対する各機械的な接触は、付加的な摩擦を引き起こし、この摩擦は、糸における物理的な性質の形成に影響する。
【０００６】
溶融紡糸プロセスにおいて、列置されて保持された紡糸ノズルは、巻取りユニットの巻取り箇所に対して通常は横方向に配向されているので、公知の装置では、紡糸ユニットからロングゴデットへの移行時に、同様に９０°の糸群の回転がさらに必要であるので、別の糸ガイド器が必要である。
【０００７】
本発明の課題は、糸群を引き出しかつ巻き取る冒頭で述べた形式の装置を改良して、糸群を、付加的な糸ガイド器なしに、糸の溶融紡糸から、糸を巻き取ってパッケージを形成するまでガイド可能であるようにすることである。
【０００８】
本発明の別の目的は、巻取りユニットのすぐ上側のできるだけコンパクトなゴデット配置を実現することにある。
【０００９】
この課題は、本発明によれば、ロングゴデットの軸線とショートゴデットの軸線とが、３０°〜６０°の範囲の角度だけ互いにずらされて配向されているように、ロングゴデットとショートゴデットとを巻取りユニットの上側に配置することにより解決される。
【００１０】
本発明の有利な別の構成は、従属請求項に記載の特徴および特徴の組み合わせにより定義されている。
【００１１】
本発明は、糸群が、ゴデットの、互いに角度を成すように配向された周壁面間の移行時にある程度の角度位置において付加的な糸ガイド器なしに確実にガイドされ得る、という知識に基づいている。したがって、６０°よりも大きな角度での糸群の回転時には、安定化のために付加的な糸ガイド器が必要とされることが突き止められた。さらに、機械ピッチを維持するためには、ショートゴデットに対して軸平行に位置する横方向で位置するロングゴデットは実現不能である。合成糸の製造時に、このような種類の装置は機械長手方向側に対して相並んで配置される。巻取りユニットと紡糸ユニットとは、実質的に機械幅を決定する。ロングゴデットの比較的大きな組込み長さに基づいて、巻取り箇所に対して横方向に向けられた配置は不可能である。その限りでは、ショートゴデットに対して３０°の角度でのロングゴデットの傾斜配置時に、通常の機械ピッチが実現可能であることが判った。その限りでは、ロングゴデットからショートゴデットへの移行時に付加的な糸ガイド器なしに糸のガイドが維持される場合に、巻取りユニットの上側でのゴデットユニットのコンパクトな配置が可能である。したがって、ロングゴデットの軸線と、ショートゴデットの軸線とは、３０°〜６０°の範囲の角度を形成する。
【００１２】
特に糸走路、ひいては紡糸ユニットからの糸の引出しを付加的な糸ガイド器なしに構成するためには、さらに、ゴデットユニットが複数のショートゴデットを有していて、これらのショートゴデットのうちの少なくとも１つのショートゴデットがロングゴデットに糸走路において前置されていて、前置されたショートゴデットが、ロングゴデットに対して軸平行に配向されている。これにより、糸群を最大で６０°までのねじりで、付加的な糸ガイド器なしに紡糸ユニットから引き出すことが可能である。さらに、前置されたショートゴデットと、ロングゴデットとの間で糸緊張領域を形成する可能性が生じる。糸群は、ショートゴデットとロングゴデットとの間で平行な走路においてガイドされる。
【００１３】
紡糸ユニットから引き出された糸群は、通常は紡績工場内での比較的大きな紡糸ピッチに基づいて寄せ集められなければならないので、ゴデットユニットが、コーム形の糸ガイド器を備えた糸集合ユニットを有していて、糸ガイド器がロングゴデットに対してほぼ平行に配置されている、本発明の別の構成が好適に実施されている。これにより、糸をガイドするために所望の処理間隔が、既にロングゴデットに対して平行に形成される。
【００１４】
ゴデットユニットができるだけ巻取りユニットのすぐ上側に保持され得るように、さらに、ショートゴデットを、巻取りユニットの巻取りスピンドルに対して横方向に配置することが規定されている。これにより、ほぼ水平方向の分配平面からの糸群の有利な分配および分離が保証されている。
【００１５】
その限りでは、ゴデットユニットがゴデットモジュールとして有利には巻取りユニットのすぐ上側に配置される。このためには、ゴデットユニットが、巻取りユニットをＵ字形にその下で取り囲む機械フレームにより支持されていて、巻取りユニットの手前に形成された操作通路から操作される。
【００１６】
ゴデットユニットが、駆動装置に基づいて、通常は巻取りユニットの上側に非対称に保持されているので、ゴデットユニットが、ロングゴデットを受容するために、操作通路に対して斜めに配向されたキャリア壁を有していて、このキャリア壁が、隣接する巻取りユニットの隣接する機械フレームに部分的に支持されている本発明の別の構成が有利に実施される。これにより、全体的に、一列に配置された巻取りユニットの上側で提供されている構造空間を、比較的存在感のあるロングゴデットを設置するために、有利に使用することができる。
【００１７】
ロングゴデットの複数回の巻掛けを糸群の処理のために利用することができるように、ロングゴデットはゴデット周壁を温度調節するための周壁加熱装置を有している。これにより、集中的な熱処理を得るために、糸群の複数回の周面接触を有利に利用することができる。
【００１８】
周辺環境が糸の熱処理からできるだけ免除されているようにするために、ロングゴデットのゴデット周壁が熱絶縁されたゴデットボックス内に配置されていて、ゴデットボックスが、前置されたショートゴデットと、後置されたショートゴデットとに対して、複数の糸開口のうちのそれぞれ１つを有している。
【００１９】
今日通常である巻取りユニットにおいて提供されている機械幅および機械奥行きは、複数回の糸巻掛けを許容するロングゴデットの使用を可能にする。この場合、ロングゴデットのゴデット周壁が少なくとも、ショートゴデットのゴデット周壁の周壁長さよりも２〜５倍長く構成されている周壁長さを有している。その限りでは、本発明に係る装置は、相応した緩和処理を備えた完全延伸糸を製造するために特に適している。
【００２０】
できるだけ多くの本数の糸を同時に処理することができるように、巻取りユニットが、互いに対して鏡像対称的に設置された２つの巻取り機により構成されていて、ゴデットユニットから供給された糸群が両巻取り機の巻取り箇所に分割して供給可能である、本発明の別の構成が好適に実施されている。これにより、多数の糸が同時に紡糸ユニットからゴデットユニットにより引き出され、処理される。鏡像対称的な巻取り機の配置により、有利には、巻取りスピンドルの突出した長さを制限することができる。さらに、ゴデットユニットを収容するための機械幅が増大し、機械ピッチは維持される。
【００２１】
本発明に係る装置は、特に繊維産業または技術的な用途のために溶融紡糸プロセスにおいて複数の合成糸を製造するために特に適している。糸は、糸群として平行に相並んで位置してショートゴデットおよびロングゴデットのゴデット周壁においてガイドされる。したがって、たとえば巻取りユニットの巻取りスピンドルにおいて８本、１０本または１６本の糸が同時に巻き取られてパッケージを形成する。鏡像対称的な２つの巻取り機の使用時に、３２本までの糸をゴデットユニットにより紡糸ユニットから同時に引き出すことができる。ショートゴデットとロングゴデットとの組み合わせは、たとえば緩和時に張力解除のために必要とされる、糸群における集中的な熱処理を可能にする。その限りでは、本発明に係る装置は、収縮の少ない糸を製造するために特に適している。操作通路からのゴデットユニットおよび巻取りユニットの操作性は、故障後の短時間の停止時間を可能にするために特に有利である。さらに、ゴデットユニットおよび巻取りユニットは、そのコンパクトな構造形式に基づいて、ゴデットユニットおよび巻取りユニットが互いに独立して交換可能であるように、有利にはモジュール式に構成され得る。
【００２２】
本発明を、糸群を引き出しかつ巻き取る本発明に係る装置の幾つかの実施例につき添付の図面を参照しながら以下に詳しく説明する。
【図面の簡単な説明】
【００２３】
【図１】本発明に係る装置の第１の実施例の概略的な側面図である。
【図２】図１に示した実施例の概略的な正面図である。
【図３】図１に示した実施例を上から見た概略的な平面図である。
【図４】本発明に係る装置の別の実施例の概略的な正面図である。
【００２４】
図１、図２および図３には、糸群を引き出しかつ巻き取る本発明に係る装置の第１の実施例が複数の視点で概略的に図示されている。図１は、この第１の実施例を側面図で示していて、図２は正面図で示していて、図３には第１の実施例が上から見た平面図で示されている。これらの図面のうちの１つの図面に明確に関連付けがなされていない限り、以下の説明は全ての図面に当てはまる。
【００２５】
本発明に係る装置の実施例は、ゴデットユニット１と、巻取りユニット２とから構成されている。ここで、ゴデットユニット１は、機械フレーム３に保持され、この機械フレーム３は、ゴデットユニット１の下側に配置された巻取りユニット２上にＵ字形に延びている。ゴデットユニット１と巻取りユニット２とは、溶融紡糸プロセスにおいて糸群を押出し後に紡糸ユニットから引き出し、糸タイプに応じて処理し、最終的に糸郡の糸を巻き取ってパッケージを形成するために、協働する。
【００２６】
この実施例では、ゴデットユニット１は、糸郡を引き出すために、複数のゴデット群６，７，８を有している。しかし、糸群１７の糸を収容するために、糸は、まずゴデットユニット１のために適した処理間隔に纏める必要がある。その限りでは、ゴデットユニット１の走入側には、糸群１７の糸を互いに対してできるだけ等しい糸間隔で纏めるために、糸集合ユニット４が配置されている。隣り合う糸間の処理間隔は、４〜８ｍｍの範囲にある。このためには、糸集合ユニット４は、コーム糸ガイド器４．１を有している。このコーム糸ガイド器４．１は、複数の糸をガイドするための複数の糸ガイド器を有している。コーム糸ガイド器４．１は、可動に構成されていて、切断手段４．２および吸込み手段４．３と協働する。その限りでは、ゴデットユニット１または巻取りユニット２において発生する故障時に、糸群を、糸集合ユニット４により収容し、引き続き吸込み容器へと導入することができる。これにより、溶融紡糸プロセスの中断は不要となる。
【００２７】
糸集合ユニット４には、第１のゴデット群６が対応配置されている。この第１のゴデット群６は、非加熱式の複数のショートゴデット６．１により構成されている。これらのショートゴデット６．１は、糸集合ユニット４と一緒にキャリア壁５に配置されている。ゴデット周壁６．２はキャリア壁５の正面側において突出している。ショートゴデット６．１は、キャリア壁５の背面側に保持されていて図面には詳細に図示されていない駆動装置に結合されている。第１のゴデット群６は、この実施例において３つのショートゴデット６．１を含んでいる。
【００２８】
ショートゴデット６．１の側方で隣に、キャリア壁５には第２のゴデット群７が配置されている。第２のゴデット群７は、長く突出した１つのロングゴデット７．１と、このロングゴデット７．１に対応配置された通過ローラ７．２とにより構成される。ロングゴデット７．１は、糸走路において前置されたショートゴデット６．１に対して軸平行に配向されている。その限りでは、ロングゴデット７．１と、糸走路において前置されたショートゴデット６．１との間で、たとえば糸群を完全に延伸するための緊張領域が形成されている。
【００２９】
ロングゴデット７．１のゴデット周壁７．４では、糸群１７が複数回の巻掛けでガイドされる。ロングゴデット７．１のゴデット周壁７．４は、概略的に図示された周壁加熱装置７．３により加熱式に構成されている。
【００３０】
ロングゴデット７．１の突出した端部側において、このロングゴデット７．１は、このロングゴデット７．１の下側に配置された、別のゴデット群８のショートゴデット８．１と協働する。このゴデット群８は、非加熱式の２つのショートゴデット８．１により形成されていて、これらのショートゴデット８．１は、巻取りユニット２のすぐ上側に配置されている。ショートゴデット８．１は、ゴデット周壁８．２でもって突出するようにゴデットキャリア１０に配置されていて、ゴデットキャリア１０の背面側に配置されたゴデット駆動装置８．３に結合されている。２つのショートゴデット８．１の間の糸走路に、交絡ユニット９が設けられていて、これにより糸群１７の糸を互いに独立して交絡させることができる。
【００３１】
ショートゴデット８．１には、これらのショートゴデット８．１に対して軸平行に配置された、巻取りユニット２に設けられた複数の変向ローラ１１が対応配置されていて、これらの変向ローラ１１は、複数の巻取り箇所１２への糸群の拡開および分離を実施する。
【００３２】
糸の本数、ひいては巻取り箇所１２の個数は、図１〜図３に図示された実施例では例示的である。基本的に、糸群は、４本以上の糸を含んでいてよい。
【００３３】
巻取り箇所１２において、糸群１７の糸は、巻き取られてそれぞれ１つのパッケージ１８を形成する。巻取り箇所１２は同一に形成されていて、変向ローラ１１の下側に配置されたそれぞれ１つの綾振りユニット１３を有している。複数のパッケージ１８が、１つの巻取りスピンドル１５．１において同時に巻き取られる。この巻取りスピンドル１５．１は、第２の巻取りスピンドル１５．２と一緒に、回転可能に支承された巻取りリボルバ１６に保持されている。巻取りスピンドル１５．１，１５．２は、巻取りリボルバ１６の回転により交互に運転領域と交換領域とに案内される。パッケージ１８の表面に糸群１７の糸を敷設するために、押圧ローラ１４が設けられている。この押圧ローラ１４は、パッケージ１８の周面に当て付けられている。このためには押圧ローラ１４は、可動に形成されている。
【００３４】
巻取りユニット２の駆動装置は、図面には図示されていない。なぜならば、このような種類の自動化された巻取りユニットは、先行技術において十分に公知であるからである。
【００３５】
実際には、このような種類の巻取りユニットは、複数個で相並んで設置され、この場合、操作通路２１が、機械長手側に対して平行に形成されている。操作通路２１は、主に最後まで巻成されたパッケージの搬出のために設けられている。この場合巻取りユニット２は、機械ピッチ（配置間隔）を形成し、これにより複数本の糸を並列して製造することができる。一方では機械ピッチを維持することができるように、他方では操作通路２１からのゴデットユニット１の操作を可能にすることができるように、まずショートゴデット８．１を備えたゴデット群８が、巻取りスピンドル１５．１，１５．２に対してほぼ垂直に配向されている。ショートゴデット８．１のうちの１つは、巻取りユニット２の端面に直接に配置されていて、この場合、糸群１７の分配および分離は、ほぼ水平方向に向けられた分配平面から変向ローラ１１によって可能である。これにより、オペレータに対してゴデットユニット１へのアクセスを可能にするために、極めて短い構造高さが実現される。
【００３６】
図３の図面から判るように、糸走路において前置された、第２のゴデット群７のロングゴデット７．１は、このロングゴデット７．１の軸線と、第３のゴデット群８のショートゴデット８．１の軸線との間に所定の角度が形成されるように、ショートゴデット８．１に対して斜めに配置されている。この角度は、図３では記号αで示されている。角度αの大きさは、最小値と最大値との間に制限されている。ロングゴデット７．１から、後置されたショートゴデット８．１への糸移行時に糸のガイドを糸ガイド器なしに維持するためには、糸群のねじれは、制限された角度範囲のみで許容される。この場合に、６０°の最大角度は、ロングゴデット７．１とショートゴデット８．１との間での糸群の非接触のガイドをまだ許容することが判った。ロングゴデット７．１とショートゴデット８．１との間の角度のずれがさらに大きい場合には、付加的な糸ガイド器、ひいては糸における付加的な摩擦箇所が必要となるだろう。
【００３７】
糸のガイドのためには、ロングゴデット７．１とショートゴデット８．１との間の角度のずれができるだけ小さいと有利であるだろう。この構成は、第２のゴデット群７の突出した長さならびにキャリア壁５の背面側に組み付けられた複数の駆動装置に基因して、機械ピッチがゴデットユニット１に基づいて設定されている場合にのみ可能である。しかし、実際には、これは不可能である。したがって、巻取りユニット２に基づいて予め設定される機械ピッチを維持することができるようにするために、ロングゴデット７．１とショートゴデット８．１との間で少なくとも３０°の角度を備えた配置が必要である。その限りでは、ロングゴデット７．１の軸線と、ショートゴデット８．１の軸線との間で、３０°〜６０°の範囲の角度が維持される。
【００３８】
ショートゴデット６．１を備えた第１のゴデット群６と、ロングゴデット７．１を備えた第２のゴデット群７とを収容するためには、キャリア壁５は相応して、ロングゴデット７．１の側方で隣に配置されたショートゴデット６．１が操作通路２１に面しているように、相応して斜めに配置されている。したがって、ゴデットユニット１の操作が大きな補助手段なしにオペレータにより可能である。
【００３９】
本発明に係る装置の図１〜図３に図示された実施例では、ゴデット群６，７，８毎のゴデットの個数および選択は例示的である。基本的には、第１のゴデット群のショートゴデット６．１を加熱式にまたは非加熱式に構成する可能性が生じる。同様に、第２のゴデット群７のロングゴデット７．１の個数も例示的である。したがって有利には、集中的な熱処理を実施するために、加熱式の複数のロングゴデット７．１を使用することもできる。
【００４０】
これに対して図４には、本発明に係る装置の別の実施例が概略的に正面図で示されている。図４に示した実施例は、図１〜図３に示した実施例とほぼ同一であるので、ここでは差異のみを説明し、その他の点は上述の説明が参照される。
【００４１】
本発明に係る装置の図４に図示された実施例では、ゴデットユニット１の第２のゴデット群７が、長く突出した２つのロングゴデット７．１により構成されている。これらのロングゴデット７．１は、糸群１７により複数回巻き掛けられている。ロングゴデット７．１は、そのゴデット周壁７．４でもって突出するようにキャリア壁５に保持されている。各ロングゴデット７．１は、周壁加熱装置７．３を有している。周辺環境に対して遮蔽するために、ロングゴデット７．１のゴデット周壁７．４は、ゴデットボックス１９内に配置されている。ゴデットボックス１９は、キャリア壁５に保持されていて、図４には部分断面図でしか示されていない。糸をガイドするために、ゴデットボックス１９は、前置されたショートゴデット６．１に対しては第１の糸開口２２を有していて、後置されたショートゴデット８．１に対しては第２の糸開口（図示せず）を有している。
【００４２】
合計で３つのショートゴデット６．１を備えた第１のゴデット群６と、２つのショートゴデット８．１を備えた第３のゴデット群８とは、上述の実施例と同一に構成されている。
【００４３】
ゴデットユニット１の下側に配置された巻取りユニット２は、この実施例では２つの巻取り機２０．１および２０．２により形成されている。巻取り機２０．１，２０．２は、互いに対して鏡像対称的に配置される。巻取り機２０．１，２０．２の構造は、図１および図２に示した実施例と同一に構成されている。その限りでは、各巻取り機２０．１，２０．２は、それぞれ４つの巻取り箇所１２．１，１２．２を有している。糸群１７は、予め、巻取り箇所１２．１，１２．２に前置されたショートゴデット８．１の周面で分配されるので、ゴデットユニット１において合計で８本の糸が糸群としてガイドされる。
【００４４】
図４には、相並んで配置された複数の装置の配置が示されている。これらの装置は、操作通路２１に対して平行に機械長手側を形成する。巻取りユニット２は、それぞれ１つの機械幅を形成し、この機械幅は、紡糸位置の間の間隔を形成する。この実施例では、ゴデットユニット１が機械ピッチ内で対称的に配置されていない。したがって、キャリア壁５の後端部は隣接する装置内に突入する。キャリア壁５は、ほぼ垂直に突出するロングゴデット７．１が、ショートゴデット８．１に対して、もしくはこの場合機械長手側に対して、ひいては操作通路２１に対して３０°〜６０°の所望の角度位置を有しているように、機械フレーム３において斜めに配置されている。したがって、キャリア壁５は、後端部において、隣接する装置の機械フレーム３により支持される。この場合に発生するオーバラップした構造形式は、コンパクトな機械配置を可能にする。
【００４５】
本発明に係る装置の図４に図示された実施例は、収縮の少ないポリアミド糸を溶融紡糸プロセスにおいて製造するために特に適している。このためには、第２のゴデット群７のロングゴデット７．１が、直径で数倍大きなゴデット周壁７．４を備えて構成されている。ポリアミド糸の製造時に必要となる巻掛け回数を得るために、ロングゴデット７．１のゴデット周壁７．４は、前置されたショートゴデット６．１のゴデット周壁６．２に対して、周壁長さにおいて２〜５倍長く、周壁直径において１．８〜３倍大きく形成されている。ロングゴデット７．１のこの周壁長さにより、糸巻掛けの回数が決定される。したがって、糸群１７をポリアミド糸の製造のためにロングゴデット７．１において３〜６回の巻掛けでガイドすることが通常である。
【００４６】
糸群１７の糸は、好適には非加熱式のショートゴデット６．１を備えた第１のゴデット群６により引き出される。合計３つのショートゴデット６．１は、糸張力を形成するために小さな速度差で駆動することができる。糸群１７の糸の延伸は、次いで第１のゴデット群６と第２のゴデット群７との間に形成された延伸領域において行われる。このためには、隣接したショートゴデット６．１と、ロングゴデット７．１とが、キャリア壁５において軸平行に保持されている。ショートゴデット６．１は、最大で３００°の巻掛け角度を有する糸群の１回の巻掛けで巻き掛けられる。その後に、糸群は、複数回の巻掛けでロングゴデット７．１の周面に受け取られる。ゴデット周壁７．４は、ポリアミド糸を緩和するために、１３０℃〜１９０℃の温度範囲に調節されている。
【００４７】
緩和後に、糸群１７の糸は、第３のゴデット群８により収容されかつ冷却される。このためには、第３のゴデット群８は、非加熱式の２つのショートゴデット８．１を有している。これらのショートゴデット８．１は、好適には第１のゴデット群６のショートゴデット６．１と同一に構成されている。糸結合部の改善のために、糸は、糸走路においてショートゴデット８．１間で交絡ユニット９において交絡される。次いで糸群１７が分けられ、両巻取り機２０．１，２０．２の巻取り箇所１２．１，１２．２へと供給される。各巻取り箇所１２．１，１２．２において、糸は巻き取られてパッケージを形成する。
【００４８】
したがって、図４に図示された実施例は、特にポリアミド糸を製造するために適している。しかし基本的には、本発明に係る装置をポリエステルまたは別のポリマから成る完全延伸糸を製造するために使用する可能性も生じる。
【図１】
2020529533.tif 000003
【図２】
2020529533.tif 000004
【図３】
2020529533.tif 000005
【図４】
2020529533.tif 000006
【国際調査報告】
2020529533.tif 000007
2020529533.tif 000008
2020529533.tif 000009
2020529533.tif 000010
2020529533.tif 000011
2020529533.tif 000012